(57)【要約】【課題】狭隘な場所に配置されて電線が屈曲された場合でも、電線の屈曲に伴って一括型シール部材が変形し、電線挿通孔と電線との密着性が低下してしまうおそれのない、作業性が良好な、部品点数の少ない簡易な構成の防水コネクタを提供する。【解決手段】防水コネクタ１は、絶縁性のハウジング１０と、ハウジング１０に取り付けられた複数のコンタクト２０と、ハウジング１０の後端に装着されると共に、複数のコンタクト２０のそれぞれに接続された複数の電線Ｗの周囲に密着する複数の電線挿通孔３１を有する一括型シール部材３０と、一括型シール部材３０を押圧するリアホルダ４０とを具備している。リアホルダ４０には、複数の電線Ｗを直線状に案内するための案内部４１が一体に形成されている。【選択図】      図４
2007172877.tif 000002
【特許請求の範囲】
【請求項１】
絶縁性のハウジングと、該ハウジングに取り付けられた複数のコンタクトと、前記ハウジングの後端に装着されると共に、前記複数のコンタクトのそれぞれに接続された複数の電線の周囲に密着する複数の電線挿通孔を有する一括型シール部材と、該一括型シール部材を押圧するリアホルダとを具備した防水コネクタにおいて、
前記リアホルダに、前記複数の電線を直線状に案内するための案内部を一体に形成したことを特徴とする防水コネクタ。
【請求項２】
相手コネクタのフード部を受容する嵌合凹部を有する絶縁性のハウジングと、該ハウジングに取り付けられたコンタクトと、前記相手コネクタのフード部の内周及び前記嵌合凹部の内周に密着するシール部材とを具備した防水コネクタにおいて、
前記嵌合凹部に、前記嵌合凹部内に浸入した水を排水する排水孔を設けたことを特徴とする防水コネクタ。
【発明の詳細な説明】
【技術分野】
【０００１】
本発明は、自動車内のワイヤハーネスの接続等に用いられる防水コネクタに関する。
【背景技術】
【０００２】
従来の防水コネクタとして、例えば、図９乃至図１３に示すものが知られている（特許文献１参照）。図９は、リアホルダ及びコンタクトを取り外した状態の従来例の防水コネクタの斜視図である。図１０は、コンタクトの組付工程を示す斜視図である。図１１は、図１０における要部の部分断面図である。図１２は、相手コネクタが嵌合した後の防水コネクタの斜視図である。図１３は、図１２における要部の部分断面図である。
【０００３】
図９乃至図１３において、防水コネクタ１０１は、絶縁性のハウジング１１０と、ハウジング１１０に取り付けられた複数のコンタクト１２０と、ハウジング１１０に装着された一括型シール部材（以下、単にシール部材という）１３０と、リアホルダ１４０とを具備している。
ハウジング１１０は、前面（図１２における奥側の面）に相手コネクタ１６０と嵌合可能な嵌合凹部（図示せず）を有する略矩形状に形成され、その後面には、図１１に示すように、シール部材収容凹部１１１が設けられている。また、ハウジング１１０のシール部材収容凹部１１１よりも後側の両側壁部分には、図９に示すように、２対の固定板係止用孔１１２が設けられるとともに、1 対のスリット１１３がハウジング１１０の後縁に開放するように形成されている。また、ハウジング１１０には、低挿入力レバー１５０が支軸１５１を中心に回動可能に設けられている。
【０００４】
また、各コンタクト１２０は、金属板を打ち抜き及び曲げ加工することによって形成され、ハウジング１１０の内部に取り付けられるようになっている。各コンタクト１２０には、電線Ｗが接続され、この電線Ｗはハウジング１１０の後面から外部に導出されるようになっている。
また、シール部材１３０は、ゴム製の一括型防水部材で略矩形形状に形成され、ハウジング１１０のシール部材収容凹部１１１に、ハウジング１１０の後側から装着されるようになっている。シール部材１３０の外周面は、シール部材収容凹部１１１の内周面に密着して防水コネクタ１の内部への水の浸入を防止するようになっている。また、シール部材１３０には、コンタクト１２０に接続された電線Ｗが挿通される複数の電線挿通孔１３１が形成されている。各電線挿通孔１３１は、各電線Ｗの周囲に密着して防水コネクタ１０１の内部への水の浸入を防止する機能を有する。
【０００５】
更に、リアホルダ１４０は、シール部材１３０の後面を覆いかつ電線Ｗを挿通させる複数の挿通孔１４１ａを有する固定板１４１と、固定板１４１の後側に配置され、電線Ｗを挿通させる複数の挿通孔１４２ａを有する可動板１４２とを具備している。固定板１４１の両側縁には、ハウジング１１０に設けられた固定板係止用孔１１２に係止される２対の係止突起１４１ｂが設けられている。固定板１４１の係止突起１４１ｂがハウジング１１０の固定板係止用孔１１２に係止されると、図１１に示すように、固定板１４１はシール部材１３０の後面を押圧し、これによりシール部材１３０のハウジング１１０からの抜け出しが防止される。また、固定板１４１の四隅には、図９に示すように、可動板１４２を係止すると共に、所定の力の作用により係止状態の可動板１４２を解除させて離間させる４つのロックアーム１４１ｃが設けられている。一方、可動板１４２の両側縁には、ハウジング１１０に設けられたスリット１１３に案内される１対のガイド突起１４２ｂが設けられ、可動板１４２は図１１及び図１３に示すように固定板１４１に対して前後方向に移動可能となっている。
【０００６】
このように構成された防水コネクタ１０１においては、先ず、図１０及び図１１に示すように、ハウジング１１０のシール部材収容凹部１１１内にシール部材１３０を装着し、かつ、リアホルダ１４０の固定板１４１をハウジング１１０に固定すると共に可動板１４２を固定板１４１に接触させた状態で、各コンタクト１２０を、ハウジング１１０の後方側から可動板１４２の挿通孔１４２ａ、固定板１４１の挿通孔１４１ａ及びシール部材１３０の電線挿通孔１３１を挿通させて、ハウジング１１０に係止する。
【０００７】
そして、相手コネクタ１６０が嵌合するに伴って、低挿入力レバー１５０を、図１２における矢印方向に回動し最終位置に位置させる。すると、相手コネクタ１６０の嵌合が完了するとともに、低挿入力レバー１５０によりガイド突起１４２ｂがスリット１１３によりガイドされながら後端側に押動される。この結果、可動板１４２は、ハウジング１１０に固定された固定板１４１から引き離され、図１２及び図１３に示すように、ハウジング１１０に設けられた突起１１４に当接する。そして、固定板１４１と可動板１４２との間には、図１３に示すように、間隔Ｌが設定される。
【０００８】
このように、固定板１４１と可動板１４２との間に間隔Ｌが設定されるので、図１３に想像線で示すように電線Ｗが横向きに引かれて変位しても、挿通孔１４２ａと間隔Ｌとにより規制され、電線Ｗは、シール部材１３０の電線挿通孔１３１との密着位置では変形しない。このため、電線Ｗの屈曲に伴ってシール部材１３０が変形したり、電線挿通孔１３１と電線Ｗとの密着性が低下することはなく、防水作用の低下を防止することができる。
【０００９】
また、従来の他の例の防水コネクタとして、例えば、図１４及び図１５に示すものが知られている（特許文献２参照）。図１４は、従来の他の例の防水コネクタの断面図である。図１５は、図１４の防水コネクタの要部の部分断面図である。
図１４に示す防水コネクタ２０１は、ハウジング２１０と、電線Ｗに接続された複数のコンタクト２２０と、複数の個別の第１シール部材２３０と、第２シール部材２４０とを具備している。
【００１０】
ここで、ハウジング２１０は、コンタクト２２０を収容するための複数のコンタクト収容室２１１ａを上下方向及び左右方向に形成したインナハウジング２１１と、このインナハウジング２１１を内部に嵌め込むアウタハウジング２１２と、これらインナハウジング２１１とアウタハウジング２１２との間に介在され、インナハウジング２１１の各コンタクト収容室２１１ａに収容されたコンタクト２２０を保持するスペーサ２１３とで構成されている。
【００１１】
そして、アウタハウジング２１２は、インナハウジング２１１を嵌め込む筒形のインナハウジング収容部２１４と、インナハウジング収容部２１４の全周囲を覆うようにインナハウジング収容部２１４から前方（図１４における左方）に延びるフード部２１５とを備えている。そして、インナハウジング収容部２１４とフード部２１５との間には、相手コネクタ（図示せず）のフード部を受容する嵌合凹部２１６が形成されている。一方、インナハウジング収容部２１４の後側には、図１５に示すように、後壁部２１２ａ及び周壁部２１２ｂからなる筒状部が設けられている。そして、この筒状部の後壁部２１２ａの各コンタクト収容室２１１ａに対向する位置には電線挿通孔２１７がそれぞれ形成され、筒状部の内部であって各電線挿通孔２１７に対向する位置にはシール部材収容凹部２１８がそれぞれ形成されている。そして、各シール部材収容凹部２１８内には、第１シール部材２３０が収容されている。各第１シール部材２３０は、ゴム製の個別型防水部材で、コンタクト２２０に接続された単一の電線Ｗの周囲に密着して防水コネクタ２０１の内部への水の浸入を防止するようになっている。
【００１２】
また、図１５に示すように、アウタハウジング２１２の周壁部２１２ｂの各第１シール部材２３０に対するシール部分以外の部分（周壁部２１２ｂと後壁部２１２ａの境のコーナー部分）には、シール部材露出孔２１９ａ，２１９ｂ，２１９ｃがそれぞれ形成されている。シール部材露出孔２１９ａ，２１９ｂ，２１９ｃは、周壁部２１２ｂの上下方向に一直線状に貫通するようにそれぞれ形成されている。このように、周壁部２１２ｂの上下方向に一直線状に貫通するようにシール部材露出孔２１９ａ，２１９ｂ，２１９ｃを形成することにより、アウタハウジング２１２の電線挿通孔２１７の外側の電線挿入口より各シール部材収容凹部２１８内に浸入した水（水滴）Ａが図１５に示すように最下段のシール部材露出孔２１９ｃから抜ける。このため、各シール部材収容凹部２１８内に水Ａが溜まることはないので、氷点下におかれても凍結によって周壁部２１２ｂ及び後壁部２１２ａが破損することがなく、シール部材２３０による防水の信頼性を向上させることができる。
【００１３】
また、第２シール部材２４０は、環状に形成されたゴム製の防水部材で、アウタハウジング２１２のインナハウジング収容部２１４の外周に設置されている。この第２シール部材２４０は、嵌合凹部２１６に受容された相手コネクタのフード部の内周及びインナハウジング収容部２１４の外周（即ち、嵌合凹部２１６の内周）に密着して防水コネクタ２０１の内部への水の浸入を防止するようになっている。
【特許文献１】特開平１０−３９６３号公報
【特許文献２】特開２０００−３５３５７０号公報
【発明の開示】
【発明が解決しようとする課題】
【００１４】
しかしながら、これら従来の図９乃至図１３に示した防水コネクタ１０１及び図１４及び図１５に示した防水コネクタ２０１にあっては、以下の問題点があった。
即ち、図９乃至図１３に示した防水コネクタ１０１の場合、電線Ｗの屈曲に伴うシール部材１３０の変形を防止するとともに電線挿通孔１３１と電線Ｗとの密着性の低下を防止するために、シール部材１３０を押圧する固定板１４１以外に可動板１４２を設ける必要がある。つまり、シール部材１３０を押圧する部材以外に密着性低下防止のための専用部材を設ける必要があり、部品点数が多くなってしまうという問題があった。また、可動板１４２を移動させるために、低挿入力レバー１５０を回動させる必要があり、作業性が悪く、例えば、防水コネクタ１０１を狭隘な場所に配置する場合には、配置作業が困難になってしまうという問題があった。更に、固定板１４１と可動板１４２との間において電線Ｗを直線的に案内する機能が乏しく、防水コネクタ１０１を狭隘な場所に配置する場合において電線Ｗが強引に屈曲されると、電線Ｗの屈曲に伴ってシール部材１３０が変形し、電線挿通孔１３１と電線Ｗとの密着性が低下してしまうおそれがあった。
【００１５】
また、図１４及び図１５に示した防水コネクタ２０１の場合、アウタハウジング２１２の電線挿通孔２１７より各シール部材収容凹部２１８内に浸入した水Ａを、シール部材露出孔２１９ｃから排水することはできるものの、相手コネクタが嵌合される側から第２シール部材２４０の手前側まで嵌合凹部２１６内に浸入した水を排水することができなかった。例えば、自動車ドア用の防水コネクタの場合には、相手コネクタが嵌合される側からシール部材の手前側まで水の浸入が不可避な使用状態に置かれることがある。そして、嵌合凹部２１６内に水が溜まって凍結すると、溜まった水が氷になる際の体積膨張を吸収できずにハウジング２１０の嵌合凹部２１６近傍の部分が破損するおそれがあった。
【００１６】
従って、本発明は上述の問題点に鑑みてなされたものであり、その目的は、狭隘な場所に配置されて電線が屈曲された場合でも、電線の屈曲に伴って一括型シール部材が変形し、電線挿通孔と電線との密着性が低下してしまうおそれのない、作業性が良好な、部品点数の少ない簡易な構成の防水コネクタを提供することにある。
また、本発明の他の目的は、相手コネクタが嵌合される側からシール部材の手前側まで嵌合凹部内に浸入した水を排水することができる防水コネクタを提供することにある。
【課題を解決するための手段】
【００１７】
上記問題を解決するため、本発明のうち請求項１に係る防水コネクタは、絶縁性のハウジングと、該ハウジングに取り付けられた複数のコンタクトと、前記ハウジングの後端に装着されると共に、前記複数のコンタクトのそれぞれに接続された複数の電線の周囲に密着する複数の電線挿通孔を有する一括型シール部材と、該一括型シール部材を押圧するリアホルダとを具備した防水コネクタにおいて、前記リアホルダに、前記複数の電線を直線状に案内するための案内部を一体に形成したことを特徴としている。
【００１８】
また、本発明のうち請求項２に係る防水コネクタは、相手コネクタのフード部を受容する嵌合凹部を有する絶縁性のハウジングと、該ハウジングに取り付けられたコンタクトと、前記相手コネクタのフード部の内周及び前記嵌合凹部の内周に密着するシール部材とを具備した防水コネクタにおいて、前記嵌合凹部に、前記嵌合凹部内に浸入した水を排水する排水孔を設けたことを特徴としている。
【発明の効果】
【００１９】
本発明のうち請求項１に係る防水コネクタによれば、一括型シール部材を押圧するリアホルダに、複数の電線を直線状に案内するための案内部を一体に形成したので、電線がハウジングの後端に装着された一括型シール部材の電線挿通孔から必ず真っ直ぐに引き出される。このため、狭隘な場所に配置され電線が屈曲された場合でも、電線の屈曲に伴って一括型シール部材が変形し、電線挿通孔と電線との密着性が低下してしまうおそれのない防水コネクタを提供することができる。また、リアホルダに案内部を一体的に形成してあるので、密着性低下防止のための専用部材を設ける必要が無く、部品点数が少なく、簡易な構成の防水コネクタとすることができる。更に、電線の引き出しに際し回動レバー等の別部材の操作が不要で、電線をリアホルダの案内部に沿って引き出せば電線を引き出すことができるので、作業性が良好で、防水コネクタを狭隘な場所に配置する場合であっても、配置作業性を良好なものとすることができる。
【００２０】
また、本発明のうち請求項２に係る防水コネクタによれば、相手コネクタのフード部を受容する嵌合凹部に、前記嵌合凹部内に浸入した水を排水する排水孔を設けたので、相手コネクタが嵌合される側からシール部材の手前側まで嵌合凹部内に浸入した水を排水孔から外部に排水することができる。このため、嵌合凹部内に水が溜まることはなく、ハウジングの嵌合凹部近傍の部分が、溜まった水が氷になる際の体積膨張に基づいて破損するおそれはない。
【発明を実施するための最良の形態】
【００２１】
次に本発明の実施形態を図面を参照して説明する。図１は、本発明に係る防水コネクタの実施形態を示し、（Ａ）は右側面斜め上方側から見た斜視図、（Ｂ）は前方左斜め上方側から見た斜視図、（Ｃ）は前方左斜め下方側から見た斜視図である。図２は、図１の防水コネクタを示し、（Ａ）は左側面斜め上方側から見た斜視図、（Ｂ）は後方右斜め上方側から見た斜視図、（Ｃ）は後方右斜め下方側から見た斜視図である。図３は、図１の防水コネクタを示し、（Ａ）は平面図、（Ｂ）は正面図、（Ｃ）は背面図である。図４は、図１の防水コネクタを示し、（Ａ）は左側面図、（Ｂ）は図３（Ｂ）における４Ｂ−４Ｂ線に沿う断面図、（Ｃ）は底面図である。但し、図１乃至図４においては、図４（Ｂ）で一点鎖線で示した場合を除きコンタクトは図示していない。
【００２２】
また、図５は、図１に示す防水コネクタに相手コネクタが嵌合した状態を示し、（Ａ）は正面図、（Ｂ）は背面図、（Ｃ）は（Ｂ）における５Ｃ−５Ｃ線に沿う断面図である。図６は、図１に示す防水コネクタに相手コネクタが嵌合した状態を示し、（Ａ）は左側面図、（Ｂ）は底面図である。図７は、図１に示す防水コネクタに相手コネクタが嵌合した状態の右側面図である。図８は、嵌合凹部内に浸入した水の排水の状態を示す図５（Ｃ）と同様の断面図である。
【００２３】
図１乃至図４において、防水コネクタ１は、絶縁性のハウジング１０と、ハウジング１０に取り付けられた複数のコンタクト２０と、一括型シール部材３０と、リアホルダ４０と、二次係止部材５０と、シール部材６０とを具備している。以下、図１（Ａ）において左を「前」、右を「後」、上を「上」、下を「下」という。また、図３（Ｃ）及び図５（Ｂ）において左を「左」、右を「右」という。
【００２４】
ハウジング１０は、絶縁性の樹脂を成形することによって形成され、図１乃至図４に示すように、複数列状に設けられたコンタクト収容孔１２を有する略四角筒形のコンタクト収容部１１を備えている。コンタクト収容孔１２は、本実施形態にあっては、２列状であって各列に３つづつ設けられている。また、各コンタクト収容孔１２には、図４（Ｂ）に示すように、各コンタクト収容孔１２に収容されたコンタクト２０を一次係止するためのハウジングランス１２ａが設けられている。そして、コンタクト収容部１１の後端（図１（Ａ）における右端）には、図４（Ｂ）に示すように、一括型シール部材３０を収容するためのシール部材収容凹部１３が形成されている。また、コンタクト収容部１１の一部の周囲を覆うようにコンタクト収容部１１の後端から前方に向けてフード部１４が延びている。また、コンタクト収容部１１とフード部１４との間には、図５（Ｃ）に示すように、相手コネクタ７０のフード部７１を受容する嵌合凹部１５が形成されている。また、ハウジング１０の下側には、図４（Ｂ）及び図６（Ｂ）に示すように、相手コネクタ７０の係止突起７４に係止してロックするためのロック片１６が設けられている。また、ハウジング１０のコンタクト収容部１１の後端上面、後端左側面及び後端右側面には、図４（Ｂ）及び図５（Ｃ）に示すように、リアホルダ４０を固定するための突起１７ａ，１７ｂ，１７ｃがそれぞれ形成されている。更に、ハウジング１０の嵌合凹部１５の後端左右側面には、図５（Ｃ）に示すように、嵌合凹部１５と外部とを連通させる１対の排水孔１８が形成されている。嵌合凹部１５の左側面に設けられた排水孔１８は、フード部１４の後端左側面及び後端面において、嵌合凹部１５と外部とが連通するように貫通し、その一方、嵌合凹部１５の右側面に設けられた排水孔１８は、フード部１４の後端右側面及び後端面において、嵌合凹部１５と外部とが連通するように貫通している。そして、各排水孔１８からは、嵌合凹部１５内に浸入した水が外部に排水可能となっている。
【００２５】
また、各コンタクト２０は、図４（Ｂ）に示すように、ハウジング１０に設けられた各コンタクト収容孔１２にハウジング１０の後端側から挿入され、各ハウジングランス１２ａにより一次係止されるようになっている。この各コンタクト２０は、金属板を打ち抜き及び曲げ加工することによって形成された雌型のコンタクトで、図８に示すように、相手コネクタ７０に設けられたピンコンタクト７２を受容接触するようになっている。その一方、各コンタクト２０には電線Ｗが接続され、各電線Ｗはハウジング１０から後方に導出されるようになっている。
【００２６】
更に、一括型シール部材３０は、図４（Ｂ）及び図５（Ｃ）に示すように、ハウジング１０のシール部材収容凹部１３内にハウジング１０の後側から装着されるようになっている。この一括側シール部材３０は、ゴム製の一括型防水部材で、複数のコンタクト２０のそれぞれに接続された複数の電線Ｗの周囲に密着する複数の電線挿通孔３１を有している。電線挿通孔３１は、コンタクト収容孔１２に対応する位置に設けられ、本実施形態にあっては、２列状であって各列に３つづつ設けられている。一括型シール部材３０の外周面には、図４（Ｂ）に示すように、シール部材収容凹部１３の内周面に密着する複数の第１シール突起３２ａが設けられ、また、一括型シール部材３０の各電線挿通孔３１の内周面には、電線Ｗの周囲に密着する複数の第２シール突起３２ｂが設けられている。ハウジング１０の後方側から一括型シール部材３０の外周面とシール部材収容凹部１３の内周面との間に入り込む水は、第１シール突起３２ａがシール部材収容凹部１３の内周面に密着することにより、ハウジング１０の内部へ侵入することが防止される。また、ハウジング１０の後方側から一括型シール部材３０の各電線挿通孔３１と各電線Ｗとの間に入り込む水は、第２シール突起３２ｂが電線Ｗの外周面に密着することにより、ハウジング１０の内部へ侵入することが防止される。
【００２７】
また、リアホルダ４０は、図４（Ｂ）及び図５（Ｃ）に示すように、ハウジング１０の後方側からハウジング１０に取り付けられて、シール部材収容凹部１３に収容された一括型シール部材３０を押圧するようになっている。このリアホルダ４０の上部には、図４（Ｂ）に示すように、コンタクト収容部１１の後端上面に設けられた突起１７ａに係止される係止部４２ａが設けられ、リアホルダ４０の左側部には、図５（Ｃ）に示すように、コンタクト収容部１１の後端左側面に設けられた突起１７ｂに係止される係止部４２ｂが設けられ、リアホルダ４０の右側部には、図５（Ｃ）に示すように、コンタクト収容部１１の後端右側面に設けられた突起１７ｃに係止される係止部４２ｃが設けられている。リアホルダ４０の係止部４２ａ，４２ｂ，４２ｃのそれぞれを突起１７ａ，１７ｂ，１７ｃのそれぞれに係止することにより、リアホルダ４０は、コンタクト収容部１１の後端に固定され、これにより一括型シール部材３０を押圧し、一括型シール部材３０の抜け出しを防止するようになっている。
【００２８】
そして、リアホルダ４０には、一括側シール部材３０の複数の電線挿通孔３１から導出された複数の電線Ｗを直線状に案内するための案内部４１を一体に形成してある。この案内部４１は、図２乃至図４に示すように、２列状に設けられた複数の電線挿通孔３１の最も左側（図３（Ｃ）において最も左側）の電線挿通孔３１よりもやや左側に位置し、後方に直線状に延びる左側壁部４１ａと、最も右側の電線挿通孔３１よりもやや右側に位置し、後方に直線状に延びる右側壁部４１ｂと、上列の電線挿通孔３１よりもやや上側に位置し、後方に直線状に延びる上壁部４１ｃと、下列の電線挿通孔３１よりもやや下側に位置し、後方に直線状に延びる下壁部４１ｄとを備えている。また、案内部４１は、最も左側の電線挿通孔３１と真ん中の電線挿通孔３１との間から後方に直線状に延びる第１仕切壁４１ｅと、真ん中の電線挿通孔３１と最も右側の電線挿通孔３１との間から後方に直線状に延びる第２仕切壁４１ｆとを備えている。更に、案内部４１は、最も左側の電線挿通孔３１において上列の電線挿通孔と下列の電線挿通孔３１との間から後方に直線状に延びる第３仕切壁４１ｇと、真ん中の電線挿通孔３１において上列の電線挿通孔と下列の電線挿通孔との間から後方に直線状に延びる第４仕切壁４１ｈと、最も右側の電線挿通孔３１において上列の電線挿通孔と下列の電線挿通孔との間から後方に直線状に延びる第５仕切壁４１ｉとを備えている。
【００２９】
そして、一括型シール部材３０の、上列かつ最も左側の電線挿通孔３１から導出された電線Ｗは、左側壁部４１ａ、上壁部１４ｃ、第１仕切壁４１ｅ及び第３仕切壁４１ｇによって囲まれた空間で直線状に案内されて後方に導出されるようになっている。また、一括側シール部材３０の、上列かつ真ん中の電線挿通孔３１から導出された電線Ｗは、第１仕切壁４１ｅ、上壁部１４ｃ、第２仕切壁４１ｆ及び第４仕切壁４１ｈによって囲まれた空間で直線状に案内されて後方に導出されるようになっている。更に、一括側シール部材３０の、上列かつ最も右側の電線挿通孔３１から導出された電線Ｗは、第２仕切壁４１ｆ、上壁部１４ｃ、右側壁部４１ｂ及び第５仕切壁４１ｉによって囲まれた空間で直線状に案内されて後方に導出されるようになっている。また、一括側シール部材３０の、下列かつ最も左側の電線挿通孔３１から導出された電線Ｗは、左側壁部４１ａ、第３仕切壁４１ｇ、第１仕切壁４１ｅ及び下壁部４１ｄによって囲まれた空間で直線状に案内されて後方に導出されるようになっている。また、一括側シール部材３０の、下列かつ真ん中の電線挿通孔３１から導出された電線Ｗは、第１仕切壁４１ｅ、第４仕切壁４１ｈ、第２仕切壁４１ｆ及び下壁部４１ｄによって囲まれた空間で直線状に案内されて後方に導出されるようになっている。更に、一括側シール部材３０の、下列かつ最も右側の電線挿通孔３１から導出された電線Ｗは、第２仕切壁４１ｆ、第５仕切壁４１ｉ、右側壁部４１ｂ及び下壁部４１ｄによって囲まれた空間で直線状に案内されて後方に導出されるようになっている。
【００３０】
そして、案内部４１の下壁部４１ｄの後端には、図４（Ｂ）に示すように、下列の電線挿通孔３１から直線状に導出された電線Ｗを下方へ向けて屈曲する際に、電線Ｗの屈曲を案内する湾曲部４１ｊが設けられている。
また、二次係止部材５０は、ハウジング１０のコンタクト収容部１１に対して上下方向に移動可能に取り付けられ、コンタクト収容孔１２に収容されたコンタクト２０がハウジングランス１２ａによって一次係止された後、下方に移動してコンタクト２０を二次係止するようになっている。
【００３１】
更に、コンタクト収容部１１の外周であって二次係止部材５０よりも後側には、環状のシール部材６０が取り付けられている。シール部材６０は、ゴム製の防水部材で、図５（Ｃ）に示すように、嵌合凹部１５内に受容された相手コネクタ７０のフード部７１の内周及び嵌合凹部１５の内周（即ち、コンタクト収容部１１の外周）に密着して嵌合凹部１５内に浸入した水がコンタクト収容部１１内へ入り込むのを防止している。
【００３２】
そして、図１乃至図４に示す防水コネクタ１の組立においては、先ず、ハウジング１０のシール部材収容凹部１３内に一括型シール部材３０を装着し、そして、リアホルダ４０を、ハウジング１０の後方側からハウジング１０に取り付け、シール部材収容凹部１３に収容された一括型シール部材３０を押圧する。その後、各コンタクト２０を、リアホルダ４０の案内部４１及び一括型シール部材３０の挿通孔３１の順に挿通させて、ハウジング１０に設けられた各コンタクト収容孔１２に挿入する。これにより、各コンタクト２０は、各ハウジングランス１２ａにより一次係止される。そして、二次係止部材５０を下向きに移動させると、各コンタクト２０は二次係止部材５０により二次係止され、各コンタクト収容孔１２からの抜け出しが防止させる。これにより防水コネクタ１が完成する。
【００３３】
そして、このように完成した防水コネクタ１は、使用目的に応じて適宜適当な場所に配置される。ここで、防水コネクタ１は、例えば自動車のドア内などの狭隘な場所に配置され、複数の電線Ｗが図４（Ｂ）に示すように下方に約９０度屈曲されてしまうことがある。この場合でも、一括側シール部材３０の複数の電線挿通孔３１から導出された複数の電線Ｗは、案内部４１によって直線状に案内され必ず真っ直ぐに引き出され、そして下方に約９０度屈曲されることになる。このため、電線Ｗの屈曲に伴って一括型シール部材３０が変形し、電線挿通孔３１（第２シール突起３２ｂ）と電線Ｗとの密着性が低下してしまうおそれはない。これにより、ハウジング１０の後方側から一括型シール部材３０の各電線挿通孔３１（第２シール突起３２ｂ）と各電線Ｗとの間に入り込む水の、ハウジング１０の内部への侵入を確実に防止することができる。
【００３４】
なお、本実施形態の防水コネクタ１は、複数の電線Ｗが屈曲される方向が、図９乃至図１３に示す防水コネクタ１０１の場合と異なり、図４（Ｂ）に示すように、予め定められた一つの向き（本実施形態の場合、下向き）である場合に適用される。このため、案内部４１の前後方向長さを短くすることができ、防水コネクタ１の前後方向長さを短くすることができる。
【００３５】
また、電線Ｗを直線状に案内する部分については、図９乃至図１３に示す防水コネクタ１０１の場合には、固定板１４１の挿通孔１４１ａ及び可動板１４２の挿通孔１４２ａとも電線Ｗの径に対してやや大きい丸孔で構成されているのに対し、本実施形態の防水コネクタ１の場合には、案内部４１の各空間が電線Ｗの径に対してゆるい四角形状に構成されているので、案内部４１への電線Ｗの挿通作業を簡単なものとすることができる。
【００３６】
また、リアホルダ４０に案内部４１を一体的に形成してあるので、密着性低下防止のための専用部材を設ける必要が無く、部品点数が少なく、簡易な構成の防水コネクタ１とすることができる。更に、電線Ｗの引き出しに際し回動レバー等の別部材の操作が不要で、電線Ｗをリアホルダ４０の案内部４１に沿って引き出せば電線を引き出すことができるので、作業性が良好で、防水コネクタ１を狭隘な場所に配置する場合であっても、配置作業性を良好なものとすることができる。
【００３７】
そして、使用目的に応じて適宜適当な場所に配置された防水コネクタ１に、図５乃至図８に示すように、相手コネクタ７０が嵌合される。相手コネクタ７０が防水コネクタ１に嵌合されると、図８に示すように、相手コネクタ７０のピンコンタクト７２が防水コネクタ１のコンタクト２０に受容接触し、電気的接続がなされる。
また、相手コネクタ７０が防水コネクタ１に嵌合されると、図８に示すように、相手コネクタ７０のフード部７１が防水コネクタ１の嵌合凹部１５内に受容され、フード部７１の内周にシール部材６０が密着する。そして、嵌合凹部１５の内周（即ち、コンタクト収容部１１の外周）にも、シール部材６０が密着している。このため、図８の矢印ａ及びｂに示すように、嵌合凹部１５内に水が浸入しても、シール部材６０により、コネクタ収容部１１内へ水が浸入するのが阻止される。
【００３８】
更に、相手コネクタ７０のフード部７１を受容する嵌合凹部１５に、嵌合凹部１５内に浸入した水を排水する１対の排水孔１８を設けたので、図８における矢印ａ及びｂで示すように、相手コネクタ７０が嵌合される側からシール部材６０の手前側まで嵌合凹部１５内に浸入した水を排水孔１８から矢印ｃで示すように外部に排水することができる。このため、嵌合凹部１５内に水が溜まることはないので、氷点下におかれても、凍結によってハウジング１０の嵌合凹部１５近傍の部分が、溜まった水が氷になる際の体積膨張に基づいて破損するおそれはない。なお、図８においては、嵌合凹部１５内に浸入した水は、矢印ｃで示すように、一方の排水孔１８のみから排水されているが、防水コネクタ１の配置状況に応じて、双方の排水孔１８から排水されることもあるし、あるいは他方の排水孔１８のみから排水されることもある。
【００３９】
なお、排水孔１８を嵌合凹部１５に設けるに際しては、排水孔１８からの水抜け性を考慮すると、対角線上に１対の排水孔１８を設けることが好ましい。また、排水孔１８は、防水コネクタ１の大きさにもよるが、実装時に下向きとなる位置とその対角に設けることが好ましい。
更に、各排水孔１８の形状は、四角形孔や丸孔など、どのような形状であってもよいが、その大きさはφ６ｍｍ程度以上の孔径が自然に水が抜けるには必要である。
【００４０】
以上、本発明の実施形態について説明してきたが、本発明はこれに限定されずに種々の変更、改良を行うことができる。
例えば、案内部４１は、複数の電線Ｗを直線状に案内するものであれば、図２乃至図４に示す形状に限られない。
また、排水孔１８は、嵌合凹部１５内に浸入した水を排水できるものであればよく、その数や設置位置は図示した例に限られない。
【図面の簡単な説明】
【００４１】
【図１】本発明に係る防水コネクタの実施形態を示し、（Ａ）は右側面斜め上方側から見た斜視図、（Ｂ）は前方左斜め上方側から見た斜視図、（Ｃ）は前方左斜め下方側から見た斜視図である。
【図２】図１の防水コネクタを示し、（Ａ）は左側面斜め上方側から見た斜視図、（Ｂ）は後方右斜め上方側から見た斜視図、（Ｃ）は後方右斜め下方側から見た斜視図である。
【図３】図１の防水コネクタを示し、（Ａ）は平面図、（Ｂ）は正面図、（Ｃ）は背面図である。
【図４】図１の防水コネクタを示し、（Ａ）は左側面図、（Ｂ）は図３（Ｂ）における４Ｂ−４Ｂ線に沿う断面図、（Ｃ）は底面図である。
【図５】図１に示す防水コネクタに相手コネクタが嵌合した状態を示し、（Ａ）は正面図、（Ｂ）は背面図、（Ｃ）は（Ｂ）における５Ｃ−５Ｃ線に沿う断面図である。
【図６】図１に示す防水コネクタに相手コネクタが嵌合した状態を示し、（Ａ）は左側面図、（Ｂ）は底面図である。
【図７】図１に示す防水コネクタに相手コネクタが嵌合した状態の右側面図である。
【図８】嵌合凹部内に浸入した水の排水の状態を示す図５（Ｃ）と同様の断面図である。
【図９】リアホルダ及びコンタクトを取り外した状態の従来例の防水コネクタの斜視図である。
【図１０】コンタクトの組付工程を示す斜視図である。
【図１１】図１０における要部の部分断面図である。
【図１２】相手コネクタが嵌合した後の防水コネクタの斜視図である。
【図１３】図１２における要部の部分断面図である。
【図１４】従来の他の例の防水コネクタの断面図である。
【図１５】図１４の防水コネクタの要部の部分断面図である。
【符号の説明】
【００４２】
１  防水コネクタ
１０  ハウジング
１５  嵌合凹部
１８  排水孔
２０  コンタクト
３０  一括型シール部材
３１  電線挿通孔
４０  リアホルダ
４１  案内部
６０  シール部材
７０  相手コネクタ
７１  フード部
Ｗ  電線
【図１】
2007172877.tif 000003
【図２】
2007172877.tif 000004
【図３】
2007172877.tif 000005
【図４】
2007172877.tif 000006
【図５】
2007172877.tif 000007
【図６】
2007172877.tif 000008
【図７】
2007172877.tif 000009
【図８】
2007172877.tif 000010
【図９】
2007172877.tif 000011
【図１０】
2007172877.tif 000012
【図１１】
2007172877.tif 000013
【図１２】
2007172877.tif 000014
【図１３】
2007172877.tif 000015
【図１４】
2007172877.tif 000016
【図１５】
2007172877.tif 000017